(57)【要約】【課題】シェルの底面にスライド可能に取り付けたスライダの反り変形を防止する。【解決手段】軸受部９ａと、一対のアーム部９ｂ，９ｃを有し、軸受部９ａにスライダ８に設けたスプリング組付軸８ａを挿入することによりスライダ８に組付けられ、一対のアーム部９ｂ，９ｃの先端部をシェル５の前面壁５ｃに圧接させることによりスライダ８にシェル５のテープ引出用の開口部６の底部を閉塞する方向のスライド力を付与しているスライダ付勢スプリング９を備えたテープカセットにおいて、前記スライダ付勢スプリング９の軸受部９ａを薄肉の平板状に形成し、該軸受部９ａをスプリング組付軸８ａの下端に組付けた。【選択図】  図３
2004220650.tif 000002
【特許請求の範囲】
【請求項１】
テープを巻装した一対のリールと、
前記一対のリールを回転可能に収容したシェルと、
前記シェルの前端部に回動可能に取り付けられていて該シェルに設けたテープ引出用の開口部の前部を開閉する回動リッドと、
前記シェルの底部にスライド可能に取り付けられて前記テープ引出用の開口部の底部を開閉するスライダと、
軸受部及び該軸受部を中心にして略ハの字状に伸びる一対のアーム部を有し、前記軸受部に前記スライダに設けたスプリング組付軸を挿入することにより前記スライダに取り付けられ、前記一対のアーム部の先端部を前記シェルの前面壁に圧接させることにより前記スライダに前記テープ引出用の開口部の底部を閉塞する方向のスライド力を付与しているスライダ付勢スプリングと、を備え、
前記スライダ付勢スプリングは、少なくとも前記軸受部が薄肉の平板状に形成されていて、該軸受部が前記スライダに設けたスプリング組付軸の下端に組付けられていることを特徴とするテープカセット。
【請求項２】
前記スライダ付勢スプリングは、前記軸受部と一対のアーム部とが板バネにより一体的に形成されていることを特徴とする請求項１に記載のテープカセット。
【発明の詳細な説明】
【０００１】
【発明の属する技術分野】
本発明は、テープを巻装した一対のリールを回転可能に収容しているシェルの底部にスライダ（スライドシャッター）をスライド可能に取り付け、該スライダにより前記シェルに設けたテープ引出用の開口部の底部（底面側）を開閉可能にしたデジタルデータストレージ（ＤＤＳ）やデジタルオーディオテープテープ（ＤＡＴ）等のテープカセットに関し、特に前記スライダを前記シェルに設けたテープ引出用の開口部の底部を閉塞する方向に付勢しているスライダ付勢スプリングの反力で前記シェルが撓み変形するのを防止したものである。
【０００２】
【従来の技術】
前記テープカセットとして図１０に示したものが知られている。前記テープカセット１０１は、情報記録媒体としての磁気テープ１０２を巻装した一対のリール１０３，１０４と、これら一対のリール１０３，１０４を回転可能に収容している上，下ハーフ１０５，１０６からなるシェル１０７と、該シェル１０７の前面側に回動可能に取付けられていて、前記シェル１０７の前端側のローディング用の開口部（ポケット部）１０８内を走行する磁気テープ１０２を保護するリッド（回動蓋）１０９と、前記シェル１０７の下部にスライド可能に取り付けられていて、前記開口部１０８の下部を開閉するスライダ（スライドシャッター）１１０と、前記スライダ１１０を前記開口部１０８の底部を閉塞する方向に付勢しているスライダ付勢スプリング１１１と、を備えたものが知られている。（例えば、特許文献１参照）。
【０００３】
図１１に示すように、前記スライダ付勢スプリング１１１には、コイル部１１２と、該コイル部１１２の両端から伸びる一対のアーム部１１３，１１４と、を備えた所謂捩りコイルバネが使用されていて、前記コイル部１１２に前記スライダ１１０に設けたスプリング組付軸１１５を挿入して前記コイル部１１２をスプリング組付軸１１５に組付けると共に、前記一対のアーム部１１３，１１４の先端部を前記下ハーフ１０６の前壁部１１６に圧接させることにより、前記スライダ１１０に前記テープ引出用の開口部１０８の底部を閉塞する方向のスライド力を付与している。
【０００４】
【特許文献１参照】
特開平４−１３７２９２号公報（特許請求の範囲、第２頁右欄第１〜１３行、第３頁左欄第１〜１２行）
【０００５】
【発明が解決しようとする課題】
前記テープカセット１０１において、図１２に示すように、前記スライダ付勢スプリング１１１の一対のアーム部１１３，１１４で前記下ハーフ１０６の前壁部１１６を押圧した反力Ｆ１，Ｆ１は、前記スライダ付勢スプリング１１１のコイル部１１２を介して前記スプリング組付軸１１５に作用する。前記スプリング組付軸１１５に作用する平均的な力Ｆ２は、２×Ｆ１となる。また、前記スプリング組付軸１１５を介してスライダ１１０に掛かる曲げモーメントＭは、２×Ｆ１×Ｌとなる。前記Ｌは、前記一対のアーム部１１３，１１４の反力Ｆ１が作用するスプリング組付軸１１５の平均的な長さ（高さ位置）である。
【０００６】
ところで、前記スライダ付勢スプリング１１１に使用される捩りコイルスプリングのコイル部１１２の長さは、最小でも線径Ｄの数倍（略巻数倍）になり、コイル部１１２の長さが比較的大きなものになる。従って、前記曲げモーメントＭも大きくなり、図１３に示すように、前記スライダ１１０が反り変形するという問題点があった。
【０００７】
前記スライダ１１０が反り変形を防止するために、スライダ１１０の肉厚をする等して、スライダ１１０を変形し難くすることが考えられるが、スライダ１１０の肉厚を厚くすると、その分、テープカセットの肉厚が厚くなり、テープカセットの重量が重くなり、コストも高くなってしまう。
【０００８】
このため、この種のテープカセットにおいては、スライダ１１０の肉厚を厚くしないでスライダ１１０の変形を確実に防止できるようにすることが課題とされていた。
【０００９】
本発明は、前記課題を解決し、スライダの肉厚を厚くする等しないでも、前記曲げモーメントＭを減少させて、スライダの反り変形を防止することのできるテープカセットを提供することを目的に成されたものである。
【００１０】
【課題を解決するための手段】
本発明は、テープを巻装した一対のリールと、前記一対のリールを回転可能に収容したシェルと、前記シェルの前端部に回動可能に取り付けられて該シェルに設けたテープ引出用の開口部の前部（前面側）を開閉する回動リッドと、前記シェルの底部にスライド可能に取り付けられて前記テープ引出用の開口部の底部（底面側）を開閉するスライダと、軸受部及び該軸受部を中心にして略ハの字状に伸びる一対のアーム部を有し前記軸受部に前記スライダに設けたスプリング組付軸を挿入することにより前記スライダに組付けられて前記一対のアーム部の先端部を前記シェルの前面壁に圧接させることにより前記スライダに前記テープ引出用の開口部の底部を閉塞する方向のスライド力を付与しているスライダ付勢スプリングと、を備えたテープカセットにおいて、
前記スライダ付勢スプリングの少なくとも軸受部を薄肉の平板状に形成し、該軸受部を前記スライダに設けたスプリング組付軸の下端に組付けることにより、前記スライダ付勢スプリングの一対のアーム部で前記シェルの前壁部を押圧した反力により前記スプリング組付軸を介してシェルに作用する曲げモーメントを限りなく零に近い値にしてスライダの肉厚を厚くする等しないでもスライダの反り変形を防止できるようにした。
【００１１】
【発明の実施の形態】
図１は、ＤＤＳ（デジタルデータストレージ）用のテープカセットの傾斜図、図２はリッドを開いた状態の斜視図である。前記テープカセット１は、磁気テープ２を巻装した一対のリール（リール）３，４と、これら一対のリール３，４を回転可能に収容しているシェル５と、該シェル５の前端面側に回動可能に取り付けられていて、前記シェル５のテープ引出用の開口部（ポケット部）６の前部を開閉するリッド７と、前記シェル５の底部にスライド可能に取り付けられていて、前記テープ引出用の開口部６の底部を開閉するスライダ（スライドシャッター）８と、前記スライダ８に前記テープ引出用の開口部６の底部を閉塞する方向のスライド力を付与しているスライダ付勢スプリング９と、を備えている。
【００１２】
図３の分解斜視図に示すように、磁気テープ２は、スプライシングテープ２ａを介して接続された透明なリーダーテープ２ｂがクランパ１０によりリール３，４に接続されている。そして、前記磁気テープ２は、前記テープ引出用の開口部６内を走行するようになっている。前記一対のリール３，４は、シェル５内に回転可能に収容されている。
【００１３】
前記シェル５は、熱可塑性合成樹脂製の上ハーフ５ａと下ハーフ５ｂとで構成されていて、これら上，下ハーフ５ａ，５ｂを結合することにより偏平な直方体形状に作られている。下ハーフ５ｂは、前記一対のリール３，４の下端部が臨むリール受部５ｃ，５ｄを備えている。
【００１４】
前記リッド７は、一対の軸１１，１２によって前記シェル５の前端面側に回動可能に取付けられていて、前記テープ引出用の開口部６の前面側を開閉するようになっている。前記リッド７は、リッド付勢スプリング１３によって前記テープ引出用の開口部６を閉じる方向に回動力を付与されている。
【００１５】
前記スライダ８は、左右の側面板２２，２３を前記下ハーフ５ｂの左右の側面板に重ね合わせ、前記側面板２２，２３に設けた係合部２４を前記下ハーフ５ａの左右の側面板に設けた係合溝部２５に係合することにより前記下ハーフ５ｂにスライド可能に取付けられていて、前記テープ引出用の開口部６の底部側を開閉するようになっている。前記スライダ８は、前記スライダ付勢スプリング９によりテープ引出用の開口部６を閉じる方向のスライド力が付与されている。
【００１６】
図４〜図６に示すように、前記スライダ付勢スプリング９は、軸受部９ａ及び該軸受部９ａを中心にして略ハの字状に伸びる細長い三角形状の一対のアーム部９ｂ，９ｃを有していて、前記軸受部９ａに前記スライダ８に設けたスプリング組付軸８ａを挿入することにより前記スライダ８に取り付けられている。そして、前記一対のアーム部９ｂ，９ｃの先端の折曲部９ｄを、前記下ハーフ５ｂの前面壁５ｅに圧接させることにより前記スライダ８に前記テープ引出用の開口部６の底部側を閉塞する方向のスライド力を付与している。
【００１７】
前記軸受部９ａは、平面視略四角形に形成されていて略円形状の軸挿入孔９ｅとスリット９ｆとにより略中央部において一対の挟着片９ｇ，９ｈに分断されて、これら一対の挟着片９ｇ，９ｈに適度の弾性が付与されている。
【００１８】
そして、前記軸挿入孔９ｅ内に前記スプリング組付軸８ａを圧挿入すると、前記一対の挟着片９ｇ，９ｈで前記スプリング組付軸８ａを挟着して、該スプリング組付軸８ａの基部（下端部）に軸受部９ａは固定的に取り付けられるようになっている。
【００１９】
また、前記一対のアーム部９ｂ，９ｃは、先端に行くに従って徐々に幅が狭くなる所謂先細状の細長い三角形状に形成されていて、先端部に幅広のシェル接触部９ｄを備えている。
【００２０】
前記一対のアーム部９ｂ，９ｃを先細状の細長い三角形状に形成したのは、スライダ８をスライドさせる際に前記一対のアーム部９ｂ，９ｃが大きく撓んだ場合でも最大応力が材料の弾性限界を超えることのないように応力を分散させるためである。また、前記一対のアーム部９ｂ，９ｃの先端部に幅広のシェル接触部９ｄを設けたのは、これら一対のアーム部９ｂ，９ｃが位置ずれを起こした場合でも、その先端部が下ハーフ５ｂとスライダ８の間の隙間に嵌まり込むのを防止するためである。
【００２１】
前記スライダ付勢スプリング９は、前記軸受部９ａと一対のアーム部９ｂ，９ｃが板バネにより一体的に形成されている。前記一対のアーム部９ｂ，９ｃは、前記軸受部９ａの一側部に略直角に起立させた状態に形成されている。前記一対のアーム部９ｂ，９ｃの長さＬや形状等は、スライダ付勢スプリング９に要求されるバネ力により適宜に設定される。
【００２２】
なお、図３に示したように、前記上ハーフ５ａの下側にはリールロック３１が配置されている。前記リールロック３１は、リールロックスプリング３２により後方（矢印Ａ方向）に付勢されていて、後端側に設けた一対のリールロック片３３，３４が前記一対のリール３，４に係合して、これら一対のリール３，４の回転を阻止するようになっている。
【００２３】
前記リールロック３１の両側部には、先端にリッド係合突部３５を有する左右一対のアーム３６，３７が設けられている。そして、図２に示すように、リッド７を開くと、該リッド７の一端部７ａが前記左右一対のアーム３６，３７のリッド係合部３５に係合し、前記リールロック３１は、リールロックスプリング３２のばね力に抗して移動して、前記リールロック片３３，３４とリール３，４の係合が外れて、前記リール３，４のロックが解除されるようになっている。
【００２４】
また、図３に示すように、前記下ハーフ５ｂの両側部には、平面視略コ字状のスリット４１によってスライダロックレバー４２が形成されている。前記ロックレバー４２の先端の下面にはロック突部４３が設けられている。
【００２５】
前記ロック突部４３は、前記スライダ８に設けた第１の係合孔４４に係合して前記テープ引出用の開口部６を閉じた状態に前記スライダ８をロックし、前記スライダ８に設けた第２の係合孔４５に係合して、前記テープ引出用の開口部６を開いた状態に前記スライダ８をロックするようになっている。なお、前記スライダロックレバー４２は、レバー付勢スプリング４６のばね力で前記ロック突部４３が前記第１，第２の係合孔４４，４５に係合する方向の回動力を付与されている。４７，４８は、前記一対のリール３，４を挟むように配置されたアッパーシートとロアシート、４９はテープエンド検出用のプリズムである。
【００２６】
次に、前記テープカセット１の作用について説明する。
【００２７】
図７〜図９に示すように、前記スライダ付勢スプリング９の一対のアーム部９ｂ，９ｃで前記下ハーフ５ｂの前面壁５ｃを押圧した反力Ｆ１，Ｆ１は、軸受部９ａを介して前記スプリング組付軸８ａに作用する。前記スプリング組付軸８ａに作用する平均的な力Ｆ２は、２×Ｆ１となる。また、前記スプリング組付軸８ａを介してスライダ８に掛かる曲げモーメントＭは、２×Ｆ１×Ｌとなる。前述したように、スライダ付勢スプリング９の軸受部９ａは、板バネによって薄肉の平板状に形成されているので、前記軸受部９ａを前記スライダ８に設けたスプリング組付軸８ａの下端に組付けると、前記Ｌは、前記スプリング組付軸８ａの下端の限りなくスライダ８に近い長さ位置（高さ位置）になる。（Ｌ≒０）
従って、スプリング組付軸８ａを介してスライダ８に掛かる曲げモーメントＭは、２×Ｆ１×Ｌ（Ｌ≒０）≒０になり、スライダ８に作用する曲げモーメントが零に近い値になるので、スライダ８の肉厚を厚くする等しないでもスライダ８の反り変形を防止することができる。
【００２８】
前記スライダ付勢スプリング９のバネ力により前記テープ引出用の開口部６の底部側を閉塞する方向のスライド力を付与された前記スライダ８が前記テープ引出用の開口部６の底部側を閉塞する位置までスライドしてくると、前記スライダ８に設けた第１の係合孔４４に前記ロックレバー４２に設けたロック突部４３に係合してスライダ８は、テープ引出用の開口部６を閉じた状態にロックされる。一方、前記リッド５は、リッド付勢スプリング１３によって前記テープ引出用の開口部６を閉じた状態に維持されている。また、前記リールロック３１は、リールロックスプリング３２により付勢されて、前記一対のリールロック片３３，３４が前記一対のリール３，４に係合して、これら一対のリール３，４の回転を阻止している。
【００２９】
前記テープカセット１をドライブ装置（図示省略）に挿入すると、該ドライブ装置に設けたロックレバー操作部材（図示省略）が、前記スライダ８に設けた第１の係合孔４４と前記ロックレバー４２に設けたロック突部４３の係合を解除する。係合を解除された前記スライダ８は、前記スライダ付勢スプリング９のバネ力に抗して前記テープ引出用の開口部６の底部側を開放する位置までスライドし、前記スライダ８に設けた第２の係合孔４５に前記ロックレバー４２に設けたロック突部４３に係合して前記テープ引出用の開口部６を開放した状態にロックされる。
【００３０】
一方、前記ドライブ装置に設けたリッド操作部材（図示省略）が、前記リッド５をリッド付勢スプリング１３のバネ力に抗して前記テープ引出用の開口部６を開放する方向に回動させると、該リッド７の一端部７ａが前記左右一対のアーム３６，３７のリッド係合部３５に係合し、前記リールロック３１は、リールロックスプリング３２のばね力に抗して移動して、前記リールロック片３３，３４とリール３，４の係合が外れて、前記リール３，４のロックが解除され、テープ２への記録及び／又は再生が可能な状態になる。
【００３１】
【発明の効果】
本発明のテープカセットには次に述べるような効果がある。
（１）請求項１のテープカセットは、軸受部及び該軸受部を中心にして略ハの字状に伸びる一対のアーム部を備え、前記軸受部に前記スライダに設けたスプリング組付軸を挿入することにより前記スライダに取り付けられ、前記一対のアーム部の先端部を前記シェルの前面壁に圧接させることにより前記スライダに前記テープ引出用の開口部の底面側を閉塞する方向のスライド力を付与しているスライダ付勢スプリングの前記軸受部を薄肉の平板状に形成し、該軸受部を前記スライダに設けたスプリング組付軸の下端に組付けたので、前記スライダ付勢スプリングの一対のアーム部で前記シェルの前壁部を押圧した反力による前記スプリング組付軸を介してシェルに作用する曲げモーメントが零に近い小さな値になるのでスライダの肉厚を厚くする等しないでもスライダの反り変形を防止できる。
（２）請求項２のテープカセットは、板バネを所定の形状に打ち抜いた後に、折り曲げることにより簡単、容易に製造することができる。また、板バネの肉厚や一対のアーム部の幅等を変えることによりスライダ付勢スプリングのバネ定数を容易に調整することができる。
【図面の簡単な説明】
【図１】斜視図。
【図２】リッドを開いた状態の斜視図。
【図３】分解斜視図。
【図４】スライダ付勢スプリングの拡大斜視図。
【図５】スライダ付勢スプリングの平面図。
【図６】スライダ付勢スプリングの側面図。
【図７】スライダ付勢スプリングを組付けた状態の正面図。
【図８】スライダ付勢スプリングを組付けた状態の平面図。
【図９】スライダ付勢スプリングの効果を示す説明図。
【図１０】従来のテープカセットの斜視図。
【図１１】従来のスライダ付勢スプリングの斜視図。
【図１２】従来例の問題点を示す説明図。
【図１３】従来例の問題点を示す説明図。
【符号の説明】
１…テープカセット、２…磁気テープ、３，４…一対のリール、５…シェル、６…テープ引出用の開口部、７…リッド、８…スライダ、８ａ…スプリング組付軸、９…スライダ付勢スプリング、９ａ…軸受部、９ｂ，９ｃ…一対のアーム部。
【図１】
2004220650.tif 000003
【図２】
2004220650.tif 000004
【図３】
2004220650.tif 000005
【図４】
2004220650.tif 000006
【図５】
2004220650.tif 000007
【図６】
2004220650.tif 000008
【図７】
2004220650.tif 000009
【図８】
2004220650.tif 000010
【図９】
2004220650.tif 000011
【図１０】
2004220650.tif 000012
【図１１】
2004220650.tif 000013
【図１２】
2004220650.tif 000014
【図１３】
2004220650.tif 000015